(57)【要約】【課題】編出し部に続く一側編地部と他側編地部の少なくとも一方がリブ組織であっても、編出し部をフラットにできる編地の編成方法を提供する。【解決手段】編出し部１０１は、一側針床ＢＤに第一編目１を編成し、他側針床ＦＤに第二編目２を編成する工程Ａを行った後、第一編目１よりも形成方向ＬＳ側に、第一編目１のウエール方向に続く新たな第一編目３を編成する工程Ｂと、新たな第一編目３近傍の空針に一側増し目４を編成する工程Ｃと、第二編目２よりも形成方向ＬＳ側に、第二編目２のウエール方向に続く新たな第二編目５を編成する工程Ｄと、新たな第二編目５近傍の空針に他側増し目６を編成する工程Ｅと、を繰り返すことで編成する。工程Ｂ，Ｄの新たな編目３，５は、工程Ｃ，Ｅの掛け目４，６のウエール方向に続く編地部の編目とは表裏逆の編目とする。【選択図】図２
2019015012.tif 000002
【特許請求の範囲】
【請求項１】
互いに対向する一側針床と他側針床、およびこれらの針床に編糸を給糸する給糸部材を有する横編機を用いて、両針床に交互に係止される編出し部を編成し、その編出し部を起点にして前後に対向する一側編地部と他側編地部を編成する編地の編成方法において、
前記編出し部を形成していく方向を形成方向、その反対方向を始端方向としたとき、
前記一側針床に第一編目を編成し、前記他側針床に第二編目を編成する工程Ａを行った後、
前記第一編目よりも前記形成方向側に、前記第一編目のウエール方向に続く新たな第一編目を編成する工程Ｂと、
前記新たな第一編目近傍の前記一側針床の空針に一側増し目を編成する工程Ｃと、
前記第二編目よりも前記形成方向側に、前記第二編目のウエール方向に続く新たな第二編目を編成する工程Ｄと、
前記新たな第二編目近傍の前記他側針床の空針に他側増し目を編成する工程Ｅと、を繰り返すことで前記編出し部を編成し、
前記編出し部における複数の前記一側増し目からなる編目列のウエール方向に前記一側編地部を編成すると共に、複数の前記他側増し目からなる編目列のウエール方向に前記他側編地部を編成する編地の編成方法。
但し、前記一側編地部と前記他側編地部の少なくとも一方はリブ組織であり、
前記一側増し目のウエール方向に続く前記一側編地部の編目を表目とする場合、前記工程Ｂの前記新たな第一編目は裏目とし、
前記一側増し目のウエール方向に続く前記一側編地部の編目を裏目とする場合、前記工程Ｂの前記新たな第一編目は表目とし、
前記他側増し目のウエール方向に続く前記他側編地部の編目を表目とする場合、前記工程Ｄの前記新たな第二編目は裏目とし、
前記他側増し目のウエール方向に続く前記他側編地部の編目を裏目とする場合、前記工程Ｄの前記新たな第二編目は表目とし、
かつ、前記工程Ｂおよび前記工程Ｄにおける編目の移動は、その移動させる編目よりも前記給糸部材を前記形成方向側に配置した状態で行う。
【請求項２】
互いに対向する一側針床と他側針床、およびこれらの針床に編糸を給糸する給糸部材を有する横編機を用いて、両針床に交互に係止される編出し部を編成し、その編出し部を起点にして前後に対向する一側編地部と他側編地部を編成する編地の編成方法において、
前記編出し部を形成していく方向を形成方向、その反対方向を始端方向としたとき、
前記一側針床に第一編目を編成し、前記他側針床に第二編目を編成する工程Ａを行った後、
前記第一編目のウエール方向に続く第三編目を編成する工程Ｂと、
前記第三編目に割増やしを行って、前記第三編目から引き出される第一新規編目を形成し、前記第三編目と前記第一新規編目のいずれか一方を前記形成方向側に移動させて新たな第一編目と規定すると共に、他方を一側増し目と規定する工程Ｃと、
前記第二編目のウエール方向に続く第四編目を編成する工程Ｄと、
前記第四編目に割増やしを行って、前記第四編目から引き出される第二新規編目を形成し、前記第四編目と前記第二新規編目のいずれか一方を前記形成方向側に移動させて新たな第二編目と規定すると共に、他方を他側増し目と規定する工程Ｅと、を繰り返すことで前記編出し部を編成し、
前記編出し部における複数の前記一側増し目からなる編目列のウエール方向に前記一側編地部を編成すると共に、複数の前記他側増し目からなる編目列のウエール方向に前記他側編地部を編成する編地の編成方法。
但し、前記一側編地部と前記他側編地部の少なくとも一方はリブ組織であり、
前記一側増し目のウエール方向に続く前記一側編地部の編目を表目とする場合、前記工程Ｂの前記第三編目は裏目とし、
前記一側増し目のウエール方向に続く前記一側編地部の編目を裏目とする場合、前記工程Ｂの前記第三編目は表目とし、
前記他側増し目のウエール方向に続く前記他側編地部の編目を表目とする場合、前記工程Ｄの前記第四編目は裏目とし、
前記他側増し目のウエール方向に続く前記他側編地部の編目を裏目とする場合、前記工程Ｄの前記第四編目は表目とする。
【請求項３】
前記一側増し目のウエール方向に続く前記一側編地部の編目を表目とする場合、前記工程Ｃでは前記第三編目を前記新たな第一編目、前記第一新規編目を前記一側増し目と規定し、
前記一側増し目のウエール方向に続く前記一側編地部の編目を裏目とする場合、前記工程Ｃでは前記第一新規編目を前記新たな第一編目、前記第三編目を前記一側増し目と規定し、
前記他側増し目のウエール方向に続く前記他側編地部の編目を表目とする場合、前記工程Ｅでは前記第四編目を前記新たな第二編目、前記第二新規編目を前記他側増し目と規定し、
前記他側増し目のウエール方向に続く前記他側編地部の編目を裏目とする場合、前記工程Ｅでは第二新規編目を前記新たな第二編目、前記第四編目を前記他側増し目と規定する請求項２に記載の編地の編成方法。
【請求項４】
前記工程Ａの前記第一編目および前記第二編目の少なくとも一方を捻り目とする請求項１から請求項３のいずれか１項に記載の編地の編成方法。
【請求項５】
編出し部と、この編出し部から互いに異なる方向に分岐する一側編地部および他側編地部と、を備え、
前記編出し部は、単数の編糸または複数の編糸で連続的に編成された複数の編目ユニットからなる編地において、
各編目ユニットは、
前記一側編地部の編目に対して傾いた第一編目と、
前記第一編目よりも後に編成され、かつ前記第一編目よりも前記第一編目が傾く方向とは反対側に配置される掛け目からなる一側増し目と、
前記一側増し目よりも後に編成され、かつ前記他側編地部の編目に対して傾いた第二編目と、
前記第二編目よりも後に編成され、かつ前記第二編目よりも前記第二編目が傾く方向とは反対側に配置される掛け目からなる他側増し目と、を備え、
ｎを任意の自然数としたとき、
ｎ＋１番目の前記編目ユニットの前記第一編目は、ｎ番目の前記編目ユニットの前記第一編目に対して形成され、
ｎ＋１番目の前記編目ユニットの前記第二編目は、ｎ番目の前記編目ユニットの前記第二編目に対して形成され、
前記一側増し目のウエール方向に前記一側編地部の編目が形成され、前記他側増し目のウエール方向に前記他側編地部の編目が形成される編地。
但し、前記一側編地部および前記他側編地部の少なくとも一方がリブ組織であり、
各編目ユニットにおいて、
前記一側増し目のウエール方向に続く前記一側編地部の編目が表目である場合、前記第一編目は裏目であり、
前記一側増し目のウエール方向に続く前記一側編地部の編目が裏目である場合、前記第一編目は表目であり、
前記他側増し目のウエール方向に続く前記他側編地部の編目が表目である場合、前記第二編目は裏目であり、
前記他側増し目のウエール方向に続く前記他側編地部の編目が裏目である場合、前記第二編目は表目である。
【請求項６】
編出し部と、この編出し部から互いに異なる方向に分岐する一側編地部および他側編地部と、を備え、
前記編出し部は、単数の編糸または複数の編糸で連続的に編成された複数の編目ユニットからなる編地において、
各編目ユニットは、
割増やしによって形成される旧編目と新編目からなる第一グループの一方の編目で構成され、前記一側編地部の編目に対して傾いた第一編目と、
前記第一グループの他方の編目で構成され、かつ前記第一編目よりも前記第一編目が傾く方向とは反対側に配置される一側増し目と、
前記一側増し目よりも後に割増やしによって形成される旧編目と新編目からなる第二グループの一方の編目で構成され、かつ前記他側編地部の編目に対して傾いた第二編目と、
前記第二グループの他方の編目で構成され、かつ前記第二編目よりも前記第二編目が傾く方向とは反対側に配置される他側増し目と、を備え、
ｎを任意の自然数としたとき、
ｎ＋１番目の前記編目ユニットの前記第一編目は、ｎ番目の前記編目ユニットの前記第一編目に対して形成され、
ｎ＋１番目の前記編目ユニットの前記第二編目は、ｎ番目の前記編目ユニットの前記第二編目に対して形成され、
前記一側増し目のウエール方向に前記一側編地部の編目が形成され、前記他側増し目のウエール方向に前記他側編地部の編目が形成される編地。
但し、前記一側編地部および前記他側編地部の少なくとも一方がリブ組織であり、
各編目ユニットにおいて、
前記一側増し目のウエール方向に続く前記一側編地部の編目が表目である場合、前記第一編目または前記一側増し目は裏目であり、
前記一側増し目のウエール方向に続く前記一側編地部の編目が裏目である場合、前記第一編目または前記一側増し目は表目であり、
前記他側増し目のウエール方向に続く前記他側編地部の編目が表目である場合、前記第二編目または前記他側増し目は裏目であり、
前記他側増し目のウエール方向に続く前記他側編地部の編目が裏目である場合、前記第二編目または前記他側増し目は表目である。
【発明の詳細な説明】
【技術分野】
【０００１】
本発明は、編出し部を編成し、その編出し部を起点にして編出し部から分岐する一側編地部と他側編地部とを編成する編地の編成方法、および編出し部から分岐する一側編地部と他側編地部とを有する編地に関する。
【背景技術】
【０００２】
横編機を用いて前後に対向する針床に係止される編出し部を編成し、その編出し部を起点として前後に対向する一側編地部と他側編地部を編成する編地の編成方法として、例えば特許文献１に記載の方法が挙げられる。特許文献１では、最初に一側編目と他側編目を編成した後、以下の編成を繰り返すことで編出し部を編成している。
・一側編目よりも編出し部の形成方向側に、その一側編目に続く新たな一側編目を編成し、一側編目の移動によって形成される空針に一側増し目を形成する。
・他側編目よりも編出し部の形成方向側に、その他側編目に続く新たな他側編目を編成し、他側編目の移動によって形成される空針に他側増し目を形成する。
【先行技術文献】
【特許文献】
【０００３】
【特許文献１】特開２０１３−１１０３１号公報
【発明の概要】
【発明が解決しようとする課題】
【０００４】
特許文献１の技術は、編出し部に続く一側編地部と他側編地部が天竺組織の場合には編出し部を目立たなくすることができる。しかし、一側編地部と他側編地部の少なくとも一方がリブ組織であると、編出し部が波打ったようになり易く、編出し部が目立ってしまう。この現象は、ｎ×ｍのリブ組織のｎ，ｍが小さくなるほど顕著になる傾向にある。例えば、図１０（Ａ）に示す写真は、編出し部に続けて２×２のリブ組織の一側編地部と他側編地部とを編成した編地を示す写真であり、写真の下端に配置される編出し部が波打っていることが分かる。これは、縮み易いリブ組織に比べて編出し部が縮み難く、編地部の収縮量と編出し部の収縮量とに差ができるためである。また、図１０（Ｂ）に示すように編出し部を編幅方向に拡げると、編出し部の屈曲は目立たなくなるものの、編地部のリブ組織と編出し部の編組織との差が明らかになり、編出し部が目立ってしまう。
【０００５】
本発明は、上記事情に鑑みてなされたものであり、その目的の一つは、一側編地部と他側編地部の少なくとも一方がリブ組織であっても、編出し部を目立たなくできる編地の編成方法を提供することにある。また、本発明の他の目的は、一側編地部と他側編地部の少なくとも一方がリブ組織で、かつ編出し部が目立たない編地を提供することにある。
【課題を解決するための手段】
【０００６】
本発明の第一の編地の編成方法は、
互いに対向する一側針床と他側針床、およびこれらの針床に編糸を給糸する給糸部材を有する横編機を用いて、両針床に交互に係止される編出し部を編成し、その編出し部を起点にして前後に対向する一側編地部と他側編地部を編成する編地の編成方法において、
前記編出し部を形成していく方向を形成方向、その反対方向を始端方向としたとき、
前記一側針床に第一編目を編成し、前記他側針床に第二編目を編成する工程Ａを行った後、
前記第一編目よりも前記形成方向側に、前記第一編目のウエール方向に続く新たな第一編目を編成する工程Ｂと、
前記新たな第一編目近傍の前記一側針床の空針に一側増し目を編成する工程Ｃと、
前記第二編目よりも前記形成方向側に、前記第二編目のウエール方向に続く新たな第二編目を編成する工程Ｄと、
前記新たな第二編目近傍の前記他側針床の空針に他側増し目を編成する工程Ｅと、を繰り返すことで前記編出し部を編成し、
前記編出し部における複数の前記一側増し目からなる編目列のウエール方向に前記一側編地部を編成すると共に、複数の前記他側増し目からなる編目列のウエール方向に前記他側編地部を編成する編地の編成方法である。
但し、前記一側編地部と前記他側編地部の少なくとも一方はリブ組織であり、
前記一側増し目のウエール方向に続く前記一側編地部の編目を表目とする場合、前記工程Ｂの前記新たな第一編目は裏目とし、
前記一側増し目のウエール方向に続く前記一側編地部の編目を裏目とする場合、前記工程Ｂの前記新たな第一編目は表目とし、
前記他側増し目のウエール方向に続く前記他側編地部の編目を表目とする場合、前記工程Ｄの前記新たな第二編目は裏目とし、
前記他側増し目のウエール方向に続く前記他側編地部の編目を裏目とする場合、前記工程Ｄの前記新たな第二編目は表目とし、
かつ、前記工程Ｂおよび前記工程Ｄにおける編目の移動は、その移動させる編目よりも前記給糸部材を前記形成方向側に配置した状態で行う。
【０００７】
ここで、表目は、一側針床側（他側針床側）から見たときに、他側針床側（一側針床側）から一側針床側（他側針床側）に向って旧編目から引き出される編目である。また、裏目は、表目と逆方向に引き出される編目である。また、工程Ｂ（Ｄ）では、第一編目（第二編目）を形成方向に移動させた後に、第一編目（第二編目）のウエール方向に続く新たな第一編目（第二編目）を編成しても良いし、第一編目（第二編目）のウエール方向に続く新たな第一編目（第二編目）を編成した後、その新たな第一編目（第二編目）を形成方向に移動させても良い。さらに、工程Ｃ（Ｅ）における新たな第一編目（新たな第二編目）近傍の空針とは、第一編目（新たな第二編目）から編幅方向に３針以内の空針のことである。空針に形成される一側増し目（他側増し目）は掛け目である。工程Ｂ〜Ｅの繰り返しによって形成される複数の新たな第一編目（第二編目）、および一側増し目（他側増し目）は、その形成順に形成方向に向かって並ぶように配置する。
【０００８】
本発明の第二の編地の編成方法は、
互いに対向する一側針床と他側針床、およびこれらの針床に編糸を給糸する給糸部材を有する横編機を用いて、両針床に交互に係止される編出し部を編成し、その編出し部を起点にして前後に対向する一側編地部と他側編地部を編成する編地の編成方法において、
前記編出し部を形成していく方向を形成方向、その反対方向を始端方向としたとき、
前記一側針床に第一編目を編成し、前記他側針床に第二編目を編成する工程Ａを行った後、
前記第一編目のウエール方向に続く第三編目を編成する工程Ｂと、
前記第三編目に割増やしを行って、前記第三編目から引き出される第一新規編目を形成し、前記第三編目と前記第一新規編目のいずれか一方を前記形成方向側に移動させて新たな第一編目と規定すると共に、他方を一側増し目と規定する工程Ｃと、
前記第二編目のウエール方向に続く第四編目を編成する工程Ｄと、
前記第四編目に割増やしを行って、前記第四編目から引き出される第二新規編目を形成し、前記第四編目と前記第二新規編目のいずれか一方を前記形成方向側に移動させて新たな第二編目と規定すると共に、他方を他側増し目と規定する工程Ｅと、を繰り返すことで前記編出し部を編成し、
前記編出し部における複数の前記一側増し目からなる編目列のウエール方向に前記一側編地部を編成すると共に、複数の前記他側増し目からなる編目列のウエール方向に前記他側編地部を編成する編地の編成方法である。
但し、前記一側編地部と前記他側編地部の少なくとも一方はリブ組織であり、
前記一側増し目のウエール方向に続く前記一側編地部の編目を表目とする場合、前記工程Ｂの前記第三編目は裏目とし、
前記一側増し目のウエール方向に続く前記一側編地部の編目を裏目とする場合、前記工程Ｂの前記第三編目は表目とし、
前記他側増し目のウエール方向に続く前記他側編地部の編目を表目とする場合、前記工程Ｄの前記第四編目は裏目とし、
前記他側増し目のウエール方向に続く前記他側編地部の編目を裏目とする場合、前記工程Ｄの前記第四編目は表目とする。
【０００９】
本発明の第一の編地の編成方法では、空針に編糸を掛ける掛け目によって増し目を形成しているのに対して、本発明の第二の編地の編成方法では、割増やしによって増し目を形成している。第二の編地の編成方法においても、表目、裏目の定義については第一の編地の編成方法の定義に準じる。
【００１０】
本発明の第二の編地の編成方法の一形態として、
前記一側増し目のウエール方向に続く前記一側編地部の編目を表目とする場合、前記工程Ｃでは前記第三編目を前記新たな第一編目、前記第一新規編目を前記一側増し目と規定し、
前記一側増し目のウエール方向に続く前記一側編地部の編目を裏目とする場合、前記工程Ｃでは前記第一新規編目を前記新たな第一編目、前記第三編目を前記一側増し目と規定し、
前記他側増し目のウエール方向に続く前記他側編地部の編目を表目とする場合、前記工程Ｅでは前記第四編目を前記新たな第二編目、前記第二新規編目を前記他側増し目と規定し、
前記他側増し目のウエール方向に続く前記他側編地部の編目を裏目とする場合、前記工程Ｅでは第二新規編目を前記新たな第二編目、前記第四編目を前記他側増し目と規定する形態を挙げることができる。
【００１１】
本発明の第一及び第二の編地の編成方法の一形態として、
前記工程Ａの前記第一編目および前記第二編目の少なくとも一方を捻り目とする形態を挙げることができる。
【００１２】
本発明の第一の編地は、
編出し部と、この編出し部から互いに異なる方向に分岐する一側編地部および他側編地部と、を備え、
前記編出し部は、単数の編糸または複数の編糸で連続的に編成された複数の編目ユニットからなる編地において、
各編目ユニットは、
前記一側編地部の編目に対して傾いた第一編目と、
前記第一編目よりも後に編成され、かつ前記第一編目よりも前記第一編目が傾く方向とは反対側に配置される掛け目からなる一側増し目と、
前記一側増し目よりも後に編成され、かつ前記他側編地部の編目に対して傾いた第二編目と、
前記第二編目よりも後に編成され、かつ前記第二編目よりも前記第二編目が傾く方向とは反対側に配置される掛け目からなる他側増し目と、を備え、
ｎを任意の自然数としたとき、
ｎ＋１番目の前記編目ユニットの前記第一編目は、ｎ番目の前記編目ユニットの前記第一編目に対して形成され、
ｎ＋１番目の前記編目ユニットの前記第二編目は、ｎ番目の前記編目ユニットの前記第二編目に対して形成され、
前記一側増し目のウエール方向に前記一側編地部の編目が形成され、前記他側増し目のウエール方向に前記他側編地部の編目が形成される編地である。
但し、前記一側編地部および前記他側編地部の少なくとも一方がリブ組織であり、
各編目ユニットにおいて、
前記一側増し目のウエール方向に続く前記一側編地部の編目が表目である場合、前記第一編目は裏目であり、
前記一側増し目のウエール方向に続く前記一側編地部の編目が裏目である場合、前記第一編目は表目であり、
前記他側増し目のウエール方向に続く前記他側編地部の編目が表目である場合、前記第二編目は裏目であり、
前記他側増し目のウエール方向に続く前記他側編地部の編目が裏目である場合、前記第二編目は表目である。
【００１３】
本発明の第二の編地は、
編出し部と、この編出し部から互いに異なる方向に分岐する一側編地部および他側編地部と、を備え、
前記編出し部は、単数の編糸または複数の編糸で連続的に編成された複数の編目ユニットからなる編地において、
各編目ユニットは、
割増やしによって形成される旧編目と新編目からなる第一グループの一方の編目で構成され、前記一側編地部の編目に対して傾いた第一編目と、
前記第一グループの他方の編目で構成され、かつ前記第一編目よりも前記第一編目が傾く方向とは反対側に配置される一側増し目と、
前記一側増し目よりも後に割増やしによって形成される旧編目と新編目からなる第二グループの一方の編目で構成され、かつ前記他側編地部の編目に対して傾いた第二編目と、
前記第二グループの他方の編目で構成され、かつ前記第二編目よりも前記第二編目が傾く方向とは反対側に配置される他側増し目と、を備え、
ｎを任意の自然数としたとき、
ｎ＋１番目の前記編目ユニットの前記第一編目は、ｎ番目の前記編目ユニットの前記第一編目に対して形成され、
ｎ＋１番目の前記編目ユニットの前記第二編目は、ｎ番目の前記編目ユニットの前記第二編目に対して形成され、
前記一側増し目のウエール方向に前記一側編地部の編目が形成され、前記他側増し目のウエール方向に前記他側編地部の編目が形成される編地である。
但し、前記一側編地部および前記他側編地部の少なくとも一方がリブ組織であり、
各編目ユニットにおいて、
前記一側増し目のウエール方向に続く前記一側編地部の編目が表目である場合、前記第一編目または前記一側増し目は裏目であり、
前記一側増し目のウエール方向に続く前記一側編地部の編目が裏目である場合、前記第一編目または前記一側増し目は表目であり、
前記他側増し目のウエール方向に続く前記他側編地部の編目が表目である場合、前記第二編目または前記他側増し目は裏目であり、
前記他側増し目のウエール方向に続く前記他側編地部の編目が裏目である場合、前記第二編目または前記他側増し目は表目である。
【発明の効果】
【００１４】
工程Ａを行った後、工程Ｂ〜工程Ｅを１ユニットとする編成を繰り返す本発明の第一の編地の編成方法では、一側編地部と他側編地部の各編目のそれぞれを表目とするか裏目とするかによって、編出し部を構成する第一編目と第二編目を表目とするか裏目とするかを決定している。そうすることで、編地部のリブ組織の形状に沿い、リブ組織の収縮に追従する編出し部を備える本発明の第一の編地を編成することができる。本発明の第一の編地では、リブ組織で構成される編地部の収縮に編出し部が追従する構成となっているため、一側編地部と他側編地部の少なくとも一方がリブ組織で構成されていても、編出し部を目立たなくできる。
【００１５】
工程Ａを行った後、工程Ｂ〜工程Ｅを１ユニットとする編成を繰り返す本発明の第二の編地の編成方法では、一側編地部と他側編地部の各編目のそれぞれを表目とするか裏目とするかによって、編出し部を構成する第三編目と第四編目を表目とするか裏目とするかを決定している。そうすることで、編地部のリブ組織の形状に沿い、リブ組織の収縮に追従する編出し部を備える本発明の第二の編地を編成することができる。本発明の第二の編地では、リブ組織で構成される編地部の収縮に編出し部が追従する構成となっているため、一側編地部と他側編地部の少なくとも一方がリブ組織で構成されていても、編出し部を目立たなくできる。さらに、本発明の第二の編地の編成方法では割増やしによって増し目を形成しているため、編出し部の編目が詰んだ状態になり、編出し部に孔が空き難く、編出し部の見栄えが良い。
【００１６】
割増やしを用いた第二の編地の編成方法において、一側編地部と他側編地部の編目が表目の場合、割増やしによって形成される新規編目を増し目とし、一側編地部と他側編地部の編目が裏目の場合、新規編目が引き出される旧編目（第三編目又は第四編目）を増し目とすることで、編出し部の見栄えをさらに向上させることができる。
【００１７】
本発明の第一及び第二の編地の編成方法において、工程Ａで編成する第一編目および第二編目の少なくとも一方を捻り目とすることで、編出し部を解れ難くできる。工程Ａの第一編目と第二編目は、編出し部の始端となる編目であるため、第一編目および第二編目の少なくとも一方を解れ難い捻り目で構成することで、編出し部が解れることを効果的に抑制できる。特に、第一編目を捻り目とすることが好ましく、第一編目と第二編目の両方を捻り目とすることがより好ましい。
【図面の簡単な説明】
【００１８】
【図１】実施形態に示す編地（スカート）の概略図である。
【図２】実施形態１に示す編地の編成方法に係る編成工程の前半部分を示す編成工程第一図である。
【図３】実施形態１に示す編地の編成方法に係る編成工程の後半部分を示す編成工程第二図である。
【図４】抜き糸を抜く前の実施形態１の編地の編出し部近傍の部分を、編地の内側から見たときのループ図である。
【図５】抜き糸を抜いた後の実施形態１の編地の編出し部近傍の部分を、編地の内側から見たときのループ図である。
【図６】（Ａ）は、実施形態１の編地の編成方法を用いて編成された編地の編出し部近傍の写真を、（Ｂ）は、（Ａ）の編地を編幅方向に拡げたときの編出し部近傍の写真を示す図である。
【図７】実施形態２に示す編地の編成方法に係る編成工程の前半部分を示す編成工程第一図である。
【図８】実施形態２に示す編地の編成方法に係る編成工程の後半部分を示す編成工程第二図である。
【図９】抜き糸を抜いた後の実施形態２の編地の編出し部近傍の部分を、編地の内側から見たときのループ図である。
【図１０】（Ａ）は、特許文献１の従来の編地の編成方法によって編成された編地の編出し部近傍の写真を、（Ｂ）は、（Ａ）の編地を編幅方向に拡げたときの編出し部近傍の写真を示す図である。
【発明を実施するための形態】
【００１９】
＜実施形態１＞
実施形態１では、図１に示すスカート（編地）１００を編成する例を説明する。このスカート１００は、前側編地部（他側編地部）２０Ｆと後側編地部（一側編地部）２０Ｂとが筒状に繋がることで形成されており、その編出し部１０１と編終り部１０２はいずれもスカート１００の側方に設定されている。つまり、このスカート１００は、その側方から編出して、図１に矢印で示す方向に向かって編成を行い、反対側の側方で編み終ることで得られる。編出し部１０１をフラットに形成し、目立たなくすることで、スカート１００の商品価値が上がる。ここで、本例の編出し部１０１を形成する対象となる編地は着衣に限定されるわけではなく、例えば鞄などの小物や、家具のカバーなどであっても良い。
【００２０】
以下、スカート１００のうち、特に編出し部１０１の編成方法を図２，３に示す編成工程図、および図４に示すループ図に基づいて説明する。スカート１００の編成に使用する横編機は、左右方向に延びかつ前後方向に互いに対向する前後一対の針床を、二組有する４枚ベッド横編機である。横編機は２枚ベッド横編機であっても良く、その場合、隣接する編目の間に空針を設けた針抜き編成を行なうと良い。
【００２１】
図２，３の小欄に記載の「Ｓ＋数字」は編成工程の番号を示し、小欄の右にある大欄には、各編成工程における編成の様子が示されている。大欄内の黒点は編針を、逆三角形マークは給糸部材を示し、欄外の大文字アルファベットは編針の位置を示している。大欄内の五角形マークは抜き糸の編目を、丸マークは表目を、菱形マークは裏目を、二重マークは重ね目を、塗り潰したマークはその編成工程で編成した編目を示す。また、欄外に矢印で示す紙面左方向および右方向をそれぞれ、形成方向ＬＳおよび始端方向ＲＳとする。形成方向ＬＳとは、編出し部１０１を編成していく方向、始端方向ＲＳとは、形成方向ＬＳとは逆方向である。
【００２２】
一方、図４は、図２，３の編成工程図に従って編成されたスカート１００をその内側から見たときの編出し部１０１近傍の編目の状態を示すループ図である。図４では、図面が複雑になり過ぎないように抜き糸の図示を省略している。
【００２３】
図２のＳ１では、下部後針床（一側針床であって以下ＢＤと表記）の編針Ａ〜Ｈに第一抜き糸編目列３０Ｂが係止され、下部前針床（他側針床であって以下ＦＤと表記）の編針Ａ〜Ｈに第二抜き糸編目列３０Ｆが係止された状態から、編出し部１０１（図１）の編成を開始する。編出し部１０１は、抜き糸編目列３０Ｂ，３０Ｆのウエール方向に連続し、ＢＤとＦＤの編針Ａ〜Ｈに形成される。また、本例では、編出し部１０１のウエール方向に続けて２×２のリブ組織の編地部２０Ｂ，２０Ｆ（図１参照）を編成することを前提に、編出し部１０１を編成する。具体的には、ＢＤ（ＦＤ）の編針Ａ，Ｂ，Ｅ，Ｆには、後側編地部２０Ｂ（前側編地部２０Ｆ）の表目を、ＢＤ（ＦＤ）の編針Ｃ，Ｄ，Ｇ，Ｈには、後側編地部２０Ｂ（前側編地部２０Ｆ）の裏目を編成することを前提として編出し部１０１を編成する。
【００２４】
編出し部１０１の編成は、一つの給糸部材で連続して行なわれる。また、編出し部１０１を構成する編目および掛け目には、その形成順に符号１〜１８を付す。これらの編目および掛け目は、その形成順に繋がっている。
【００２５】
図２に示すＳ１では、ＢＤの編針Ａに、抜き糸の編目のウエール方向に続く第一編目１を編成すると共に、ＦＤの編針Ａに、抜き糸の編目のウエール方向に続く第二編目２を編成する（第一の編地の編成方法の工程Ａ相当）。さらに、Ｓ１では、第一編目１を上部前針床（他側針床であって以下ＦＵと表記）の編針Ｂに移動させる（工程Ｂの一部に相当）。編針Ｂは、第一編目１が係止されていた編針Ａよりも形成方向ＬＳ側にあり、また第一編目１の移動の際に、給糸部材は第一編目１よりも形成方向ＬＳ側に配置されている。
【００２６】
第一編目１と第二編目２は、編出し部１０１の始端となる編目であって、抜き糸を外したときに解れないように編成する。例えば、給糸部材を形成方向ＬＳに移動させて第一編目１を編成した後、給糸部材を始端方向ＲＳに移動させて第二編目２を編成することが挙げられる。この給糸部材の往復に伴う編目１，２の編成は、編成効率を重視した編成であって、抜き糸を外す前の編目１，２は捻られず、捻られていないままだと解れ易い。しかし、後述するように、編目１，２は、抜き糸を外したときに半回転して捻られた状態になり、解れない。もちろん、編目１，２が解れないように第一編目１および第二編目２の少なくとも一方を予め捻っておくこともできる。例えば第一編目１を捻れ目とするのであれば、給糸部材を形成方向ＬＳへ移動させ、ＦＵで第一編目１を編成し、給糸部材を始端方向ＲＳに移動させた後、第一編目１をＢＤに移動させると良い。第二編目２も捻れ目とするのであれば、給糸部材を始端方向ＲＳに移動させ、上部後針床（一側針床であって、以下ＢＵと表記）で第二編目２を編成した後、第二編目２をＦＤに移動させると良い。本例では、図４に示すように、第一編目１を捻れ目としている。
【００２７】
ここで、本例では抜き糸編目列３０Ｂ，３０Ｆの編成を行なっているが、針床ＢＤ，ＦＤに抜き糸が係止されていない状態から編出し部１０１の編成を開始することもできる。但し、抜き糸編目列３０Ｂ，３０Ｆを形成しておくことで、編出し部１０１の編成が安定し、編出し部１０１を綺麗に仕上げることができる。
【００２８】
Ｓ２では、ＢＤの編針Ｂに係止される抜き糸編目列３０Ｂの編目を、ＦＵの編針Ｂに移動させる。つまり、抜き糸の編目と第一編目１とが重ねられた重ね目（紙面上は符合１で示している）を形成する。ＦＤに抜き糸編目列３０Ｂを編成しないのであれば、このＳ２は行う必要がない。
【００２９】
Ｓ３では、給糸部材を始端方向ＲＳに移動させ、第一編目１のウエール方向（本例では、第一編目１と抜き糸の編目とを重ねた重ね目）に続く新たな第一編目３を編成する（工程Ｂの残部に相当）。この新たな第一編目３は、ＢＤに対向するＦＵで編成されるため、ＢＤ側から見て裏目である。第一編目３は給糸部材を形成方向ＬＳに移動させて編成することもできる。
【００３０】
Ｓ４では、給糸部材を形成方向ＬＳに移動させ、空針であるＢＤの編針Ａに掛け目からなる一側増し目４を編成する（工程Ｃ相当）。既に述べたように、ＢＤの編針Ａには後側編地部２０Ｂ（図１）の表目を形成する予定であり、従って一側増し目４のウエール方向には表目が形成される予定である。Ｓ３において新たな第一編目３を裏目としたのは、一側増し目４のウエール方向に続く編目が表目であるためである。
【００３１】
Ｓ５では、第一編目３よりも形成方向ＬＳ側に給糸部材がある状態で、第一編目３をＢＤの編針Ｂに移動させる。
【００３２】
Ｓ６では、ＦＤの編針Ａに係止される第二編目２をＢＵの編針Ｂに移動させる（工程Ｄの一部に相当）。編針Ｂは、第二編目２が係止されていた編針Ａよりも形成方向ＬＳ側にあり、また第二編目２の移動の際に、給糸部材は第二編目２よりも形成方向ＬＳ側に配置されている。
【００３３】
Ｓ７では、ＦＤの編針Ｂに係止される抜き糸編目列３０Ｆの編目を、ＢＵの編針Ｂに移動させる。つまり、抜き糸の編目と第二編目２とが重ねられた重ね目（符合２参照）を形成する。ＢＤに抜き糸編目列３０Ｆを編成しないのであれば、このＳ７は行う必要がない。
【００３４】
Ｓ８では、給糸部材を始端方向ＲＳに移動させ、第二編目２のウエール方向（本例では、第二編目２と抜き糸の編目とを重ねた重ね目）に続く新たな第二編目５を編成する（工程Ｄの残部に相当）。この新たな第二編目５は、ＦＤに対向するＢＵで編成されるため、ＦＤ側から見て裏目である。第二編目２は給糸部材を形成方向ＬＳに移動させて編成することもできる。
【００３５】
Ｓ９では、給糸部材を形成方向ＬＳに移動させ、空針であるＦＤの編針Ａに掛け目からなる他側増し目６を編成する（工程Ｅ相当）。既に述べたように、ＦＤの編針Ａには前側編地部２０Ｆ（図１）の表目を形成する予定であり、従って他側増し目６のウエール方向には表目が形成される予定である。Ｓ８において新たな第二編目５を裏目としたのは、他側増し目６のウエール方向に続く編目が表目であるためである。
【００３６】
Ｓ１０では、第二編目５よりも形成方向ＬＳ側に給糸部材がある状態で、第二編目５をＦＤの編針Ｂに移動させる。以上説明したＳ１〜Ｓ１０により、工程Ａと、１サイクルの工程Ｂ〜工程Ｅとが行なわれる。その結果、図４に示すように、工程Ａで編成される編出し部１０１の始端となる編目１，２と、工程Ｂ〜Ｅで編成される第一編目３、一側増し目４、第二編目５、および他側増し目６と、が形成される。
【００３７】
既に述べたように、編針Ｂに形成する編地部２０Ｂ，２０Ｆ（図４）の編目は表目となる予定であるため、Ｓ１〜Ｓ１０の編成を再度繰り返す。但し、Ｓ１の編目１，２の編成は行なう必要はない。再びＳ１〜Ｓ１０を行なうことで、図４に示すような第一編目７、一側増し目８、第二編目９、および他側増し目１０が編成される。
【００３８】
次に、編針Ｃに形成する編地部２０Ｂ，２０Ｆ（図４）の編目は裏目となる予定であるため、図３に示すＳ１１〜Ｓ１６を行なう。
【００３９】
図３のＳ１１では、ＢＤの編針Ｃに係止される第一編目７をＢＤの編針Ｄに移動させ、編針Ｄ上で抜き糸編目列３０Ｂの編目に重ね（工程Ｂの一部）、Ｓ１２では、給糸部材を始端方向ＲＳ側に移動させ、新たな第一編目１１を編成する（工程Ｂの残部）。新たな第一編目１１はＢＤで編成されるので、ＢＤ側から見て表目である。
【００４０】
Ｓ１３では、給糸部材を形成方向ＬＳに移動させ、ＢＤの編針Ｃに一側増し目１２を編成する（工程Ｃ）。この一側増し目１２のウエール方向に続く編目は裏目となる予定である。
【００４１】
Ｓ１４では、ＦＤの編針Ｃに係止される第二編目９をＦＤの編針Ｄに移動させ、編針Ｄ上で抜き糸編目列３０Ｆの編目に重ね（工程Ｄの一部）、Ｓ１５では、給糸部材を始端方向ＲＳ側に移動させ、新たな第二編目１３を編成する（工程Ｄの残部）。新たな第二編目１３はＦＤで編成されるので、ＦＤ側から見て表目である。
【００４２】
Ｓ１６では、給糸部材を形成方向ＬＳに移動させ、ＦＤの編針Ｃに他側増し目１４を編成する（工程Ｅ）。この他側増し目１４のウエール方向に続く編目は裏目となる予定である。Ｓ１１〜Ｓ１６により、１サイクルの工程Ｂ〜工程Ｅが行なわれ、その結果、図４に示すような第一編目１１、一側増し目１２、第二編目１３、および他側増し目１４が編成される。
【００４３】
本例では再度、ＢＤの編針ＥとＦＤの編針Ｅの抜き糸の編目に対してもＳ１１〜Ｓ１６と同様の編成を繰り返す。その結果、図４に示すような第一編目１５、一側増し目１６、第二編目１７、および他側増し目１８が編成される。以降は、Ｓ１（捻り目の編成を除く）〜Ｓ１０を二回行なうことと、Ｓ１１〜Ｓ１６を二回行なうことと、を繰り返し、編出し部１０１を完成させる。
【００４４】
図２，３に示す編成工程図に従って編出し部１０１を編成した後、編出し部１０１に続けて一側編地部２０Ｂと他側編地部２０Ｆを編成する。具体的には、図４に示すように、編出し部１０１における一側増し目４，８，１２，１６…で構成される第一編目列５０Ｂのウエール方向に一側編地部２０Ｂを編成する。また、一側編地部２０Ｂとは別の給糸部材を用いて、他側増し目６，１０，１４，１８…で構成される第二編目列５０Ｆのウエール方向に他側編地部２０Ｆを編成する。いずれかの編地部２０Ｂ（２０Ｆ）は、編出し部１０１で使用した給糸部材を利用して編成することができる。そうすることで、編地１００における糸入れ部の数を減らすことができる。
【００４５】
図４に示す編出し部１０１では、ｍ＋１番目（ｍは１以上の自然数）の第一編目（例えば、第一編目３を参照）の一方のシンカーループが、ｍ番目の第一編目（第一編目１を参照）に巻き付いたようになっている。同様に、ｍ＋１番目（ｍは１以上の自然数）の第二編目（例えば、第二編目５を参照）の一方のシンカーループも、ｍ番目の第二編目（第二編目２を参照）に巻き付いたようになっている。これらシンカーループの巻き付きは、工程Ｂおよび工程Ｄにおける編目の移動を、その移動させる編目よりも給糸部材を形成方向ＬＳ側に配置した状態で行うために生じる。これらシンカーループの巻き付きによって、第一編目１，３，７，１１，１５と、第二編目２，５，９，１３，１７には、これらの編目を紙面左側の円弧矢印の方向に回転させる力が作用している。この状態から、図示しない抜き糸を抜いて、抜き糸により各編目の拘束を解除することで、第一編目１，３，７，１１，１５と第二編目２，５，９，１３，１７が円弧矢印の方向に回転し、図５に示す状態になる。図４に示すように編成時に捻れ目であった第一編目１と第二編目２は、図５に示すように更に半回転捻られた状態になる。
【００４６】
図５は、スカート１００をその内側から見たときの編出し部１０１近傍のループ図である。スカート１００の内側から各編目を見ているので、紙面手前側（スカート１００の内側）から奥側（スカート１００の外側）に引き出される編目が表目であり、その逆が裏目である。この図５に示すように、スカート１００は、編出し部１０１と、この編出し部１０１から互いに異なる方向に分岐する一側編地部（後側編地部）２０Ｂおよび他側編地部（前側編地部）２０Ｆと、を備える。
【００４７】
編出し部１０１は、単数の編糸で連続的に編成された複数の編目ユニットＱ１〜Ｑ４（Ｑ４以降は符合を省略）から構成されている。具体的には、始端となる第一編目１と第二編目２に続けて複数の編目ユニットＱ１〜Ｑ４が連続して形成されている。一番目の編目ユニットＱ１は、第一編目３、一側増し目４、第二編目５、および他側増し目６で構成され、二番目の編目ユニットＱ２は、第一編目７、一側増し目８、第二編目９、および他側増し目１０で構成されている。また、三番目の編目ユニットＱ３は、第一編目１１、一側増し目１２、第二編目１３、および他側増し目１４で構成され、四番目の編目ユニットＱ４は、第一編目１５、一側増し目１６、第二編目１７、および他側増し目１８で構成されている。
【００４８】
各編目ユニットＱ１〜Ｑ４を構成する編目・掛け目の形成順と位置関係は共通である。編目ユニットＱ１を例にして説明すると、第一編目３は、一側編地部２０Ｂの編目に対してほぼ直交する方向（図２，３の形成方向ＬＳ）に傾く。一側増し目４は、第一編目３よりも後に編成され、かつ第一編目３よりも第一編目３が傾く方向とは反対側（図２，３の始端方向ＲＳ側）に配置される捻れ目である。第二編目５は、一側増し目４よりも後に編成され、かつ他側編地部２０Ｆの編目に対してほぼ直交する方向（図２，３の形成方向ＬＳ）に傾いている。そして、他側増し目６は、第二編目５よりも後に編成され、かつ第二編目５よりも第二編目５が傾く方向とは反対側に配置される捻れ目である。
【００４９】
一番目の編目ユニットＱ１の第一編目３と第二編目５はそれぞれ、始端の第一編目１と第二編目２に対して形成されている。また、ｎ＋１番目（ｎは１以上の自然数）の編目ユニットの第一編目は、ｎ番目の編目ユニットの第一編目に対して形成され、ｎ＋１番目の編目ユニットの第二編目は、ｎ番目の編目ユニットの第二編目に対して形成されている。このように、各編目ユニットＱ１〜Ｑ４は連結されている。
【００５０】
上記編出し部１０１の一側増し目４，８，１２，１６のウエール方向に一側編地部２０Ｂの編目が形成され、他側増し目６，１０，１４，１８のウエール方向に他側編地部２０Ｆの編目が形成される。ここで、一側編地部２０Ｂおよび他側編地部２０Ｆは共にリブ組織であり、図２，３の編成工程図で説明したように、各編目ユニットＱ１〜Ｑ４は次の条件を満たす。
・一側増し目４，８のウエール方向に続く一側編地部２０Ｂの編目が表目である場合、第一編目３，７は裏目である。
・一側増し目１２，１６のウエール方向に続く一側編地部２０Ｂの編目が裏目である場合、第一編目１１，１５は表目である。
・他側増し目６，１０のウエール方向に続く他側編地部２０Ｆの編目が表目である場合、第二編目５，９は裏目である。
・他側増し目１４，１８のウエール方向に続く他側編地部２０Ｆの編目が裏目である場合、第二編目１３，１７は表目である。
【００５１】
図５に示す編地１００の編出し部１０１近傍の写真を図６に示す。図６（Ａ）に示すように、編出し部が波うつこと無く真っ直ぐに形成されており、極めて見栄えの良い編地となっている。また、図６（Ｂ）に示すように、編地１００の編出し部１０１を編幅方向に拡げても、編出し部１０１の位置で前後のリブ組織同士が綺麗に繋がっていることが分かる。これに対して、図１０に示す特許文献１の編地の編成方法を用いた編地では、編出し部がそのウエール方向に続くリブ組織に対して拡がっているため、編出し部が多少波打ってしまっており、この図１０に示す従来の編地と比べれば、図６に示す本例の編地の見栄えの良さが際立っていることが分かる。
【００５２】
＜実施形態２＞
実施形態２では、割増やしを利用して編出し部の増し目を形成する例を図７，８の編成工程図、および図９のループ図に基づいて説明する。図７，８の見方、および図９の見方はそれぞれ、図２，３、および図５と同じである。ここで、図７のＳ１に示すように、本例では抜き糸の図示を省略している。抜き糸の使用・不使用は適宜選択できる。
【００５３】
本例では、図７，８のＢＤ（ＦＤ）の編針Ａ，Ｂ，Ｅ，Ｆに後側編地部２０Ｂ（前側編地部２０Ｆ）の表目を、ＢＤ（ＦＤ）の編針Ｃ，Ｄ，Ｇ，Ｈに後側編地部２０Ｂ（前側編地部２０Ｆ）の裏目を編成することを前提として編出し部１０１の編成を開始する。具体的には、ＢＤの編針Ａに第一編目１を編成すると共に、ＦＤの編針Ａに第二編目２を編成する（第二の編地の編成方法の工程Ａ相当）。第一編目１および第二編目２は、実施形態１と同様に編成することができる。
【００５４】
Ｓ２では、ＢＤの編針Ａに係止される第一編目１をＦＵの編針Ａに移動させた後、給糸口を始端方向ＲＳに移動させ、第一編目１のウエール方向に続く第三編目３０を編成する（工程Ｂ相当）。第三編目３０はＦＵで編成されるので、ＢＤ側から見て裏目である。
【００５５】
Ｓ３では、第三編目３０を一旦、ＢＤの編針Ａに戻す。そして、Ｓ４では、第三編目３０に割増やしを行う。割増やしを行うことで、旧編目である第三編目３０はＦＵの編針Ａに移動され、その第三編目３０から引き出される新編目である第一新規編目３１がＢＤの編針Ａに形成される（工程Ｃの前半部分）。
【００５６】
ここで、Ｓ３の第三編目３０の移動は、上部の針床に係止される編目に対して割増やしを行なうことができないために行なっている。単なる横編機の機構上の問題なので、上部の針床の編目に割増やしを行なうことができる横編機であれば、Ｓ３を行なう必要はない。
【００５７】
Ｓ５では、第三編目３０を形成方向ＬＳ側に移動させて新たな第一編目３と規定すると共に、第一新規編目３１を一側増し目４と規定する（工程Ｃの後半部分）。具体的には、第三編目３０をＢＤの編針Ｂに移動させ、第一新規編目３１はＢＤの編針Ａに係止させたままとする。
【００５８】
ここで、Ｓ５とは異なり、Ｓ４の第一新規編目３１を形成方向ＬＳ側に移動させて新たな第一編目３と規定すると共に、第三編目３０を一側増し目４と規定することもできる。しかし、一側増し目４のウエール方向に続く編目が表目となる場合、図７のＳ５に示す通りに行なう方が、編出し部１０１が綺麗に仕上がる。
【００５９】
Ｓ６では、ＦＤの編針Ａに係止される第二編目２をＢＵの編針Ａに移動させ、Ｓ７では、給糸口を始端方向ＲＳに移動させ、第二編目２のウエール方向に続く第四編目４０を編成する（工程Ｄ相当）。第四編目４０はＢＵで編成されるので、ＦＤ側から見て裏目である。
【００６０】
Ｓ８では、第四編目４０を一旦、ＦＤの編針Ａに戻す。そして、Ｓ９では、第四編目４０に割増やしを行う。割増やしを行うことで、旧編目である第四編目４０はＢＵの編針Ａに移動させ、その第四編目４０から引き出される新編目である第二新規編目４１がＦＤの編針Ａに形成される（工程Ｅの前半部分）。
【００６１】
Ｓ１０では、第四編目４０を形成方向ＬＳ側に移動させて新たな第二編目５と規定すると共に、第二新規編目４１を他側増し目６と規定する（工程Ｅの後半部分）。具体的には、第四編目４０をＦＤの編針Ｂに移動させ、第二新規編目４１はＦＤの編針Ａに係止させたままとする。Ｓ１０と異なり、第二新規編目４１を新たな第二編目５、第四編目４０を他側増し目６と規定することもできるが、Ｓ１０に示す通りに行う方が、編出し部１０１が綺麗に仕上がる。
【００６２】
既に述べたように、編針Ｂに形成する編地部２０Ｂ，２０Ｆ（図９）の編目は表目となる予定であるため、Ｓ２〜Ｓ１０の編成を再度繰り返す。その結果、図９に示すような第一編目７、一側増し目８、第二編目９、および他側増し目１０が編成される。
【００６３】
次に、編針Ｃに形成する編地部２０Ｂ，２０Ｆ（図９）の編目は裏目となる予定であるため、図８に示すＳ１１〜Ｓ１８を行なう。ここで、図９は編地１００（図１）をその内側から見たループ図であるので、紙面手前側に引き出される編目（例えば、編目１２のウエール方向に続く編目）は、編地１００の外側から見たときに裏目である。
【００６４】
図８のＳ０には、第二編目９と他側増し目１０の配置が完了した状態が示されている。このＳ０に続くＳ１１では、給糸口を始端方向ＲＳに移動させ、ＢＤの編針Ｃに係止される第一編目７のウエール方向に続く第三編目３３を編成する（工程Ｂ相当）。第三編目３３はＢＤで編成されるので、ＢＤ側から見て表目である。
【００６５】
Ｓ１２では、第三編目３３に割増やしを行うことで、旧編目である第三編目３３がＦＵの編針Ｃに移動され、その第三編目３３から引き出される新編目である第一新規編目３４がＢＤの編針Ｃに形成される（工程Ｃの前半部分）。
【００６６】
Ｓ１３，Ｓ１４では、目移しとラッキングを用いて、第一新規編目３４を形成方向ＬＳ側に移動させて新たな第一編目１１と規定すると共に、第三編目３３を一側増し目１２と規定する（工程Ｃの後半部分）。具体的には、Ｓ１３で第一新規編目３４をＦＵの編針Ｄに移動させ、Ｓ１４で第一新規編目３４と第三編目３３をそれぞれＢＤの編針Ｄと編針Ｃに移動させる。
【００６７】
Ｓ１５では、給糸口を始端方向ＲＳに移動させ、ＦＤの編針Ｃに係止される第二編目９（図９参照）のウエール方向に続く第四編目４４を編成する（工程Ｄ相当）。第四編目４４はＦＤで編成されるので、ＦＤ側から見て表目である。
【００６８】
Ｓ１６では、第四編目４４に割増やしを行うことで、旧編目である第四編目４４がＢＵの編針Ｃに移動され、その第四編目４４から引き出される新編目である第二新規編目４５がＦＤの編針Ｃに形成される（工程Ｅの前半部分）。
【００６９】
Ｓ１７，Ｓ１８では、目移しとラッキングを用いて、第二新規編目４５を形成方向ＬＳ側に移動させて新たな第二編目１３と規定すると共に、第四編目４４を他側増し目１４と規定する（工程Ｅの後半部分）。具体的には、Ｓ１７で第二新規編目４５をＢＵの編針Ｄに移動させ、Ｓ１８で第二新規編目４５と第四編目４４をそれぞれＦＤの編針Ｄと編針Ｃに移動させる。
【００７０】
本例では再度、ＢＤの編針ＤとＦＤの編針Ｄに対してもＳ１１〜Ｓ１８と同様の編成を繰り返す。その結果、図９に示すような第一編目１５、一側増し目１６、第二編目１７、および他側増し目１８が編成される。以降は、図７のＳ２〜Ｓ１０を二回行なうことと、図８のＳ１１〜Ｓ１６を二回行なうことと、を繰り返し、編出し部１０１を完成させる。
【００７１】
図７，８に示す編成工程図に従って編出し部１０１を編成した後、編出し部１０１に続けて一側編地部２０Ｂと他側編地部２０Ｆを編成する。具体的には、図９に示すように、編出し部１０１における一側増し目４，８，１２，１６…で構成される第一編目列５０Ｂのウエール方向に一側編地部２０Ｂを編成する。また、一側編地部２０Ｂとは別の給糸部材を用いて、他側増し目６，１０，１４，１８…で構成される第二編目列５０Ｆのウエール方向に他側編地部２０Ｆを編成する。いずれかの編地部２０Ｂ（２０Ｆ）は、編出し部１０１で使用した給糸部材を利用して編成することができる。そうすることで、編地１００における糸入れ部の数を減らすことができる。
【００７２】
図９は、スカート１００をその内側から見たときの編出し部１０１近傍のループ図である。スカート１００の内側から各編目を見ているので、紙面手前側（スカート１００の内側）から奥側（スカート１００の外側）に引き出される編目が表目であり、その逆が裏目である。この図９に示すように、スカート１００は、編出し部１０１と、この編出し部１０１から互いに異なる方向に分岐する一側編地部（後側編地部）２０Ｂおよび他側編地部（前側編地部）２０Ｆと、を備える。
【００７３】
編出し部１０１は、単数の編糸で連続的に編成された複数の編目ユニットＱ１〜Ｑ４から構成されている。具体的には、始端となる第一編目１と第二編目２に続けて複数の編目ユニットＱ１〜Ｑ４が連続して形成されている。一番目の編目ユニットＱ１は、第一編目３、一側増し目４、第二編目５、および他側増し目６で構成され、二番目の編目ユニットＱ２は、第一編目７、一側増し目８、第二編目９、および他側増し目１０で構成されている。また、三番目の編目ユニットＱ３は、第一編目１１、一側増し目１２、第二編目１３、および他側増し目１４で構成され、四番目の編目ユニットＱ４は、第一編目１５、一側増し目１６、第二編目１７、および他側増し目１８で構成されている。本例における編目ユニットＱ１〜Ｑ４の各編目の形成順は、１→２→３→４→５→６→７→８→９→１０→１２→１１→１４→１３→１６→１５→１８→１７となっており、これらの編目はその形成順に繋がっている。
【００７４】
本例の編目ユニットＱ１，Ｑ２では、第一編目３，７は、割増やしによって形成される旧編目３０と新編目３１からなる第一グループのうち、旧編目３０で構成され、かつ一側編地部２０Ｂの編目に対して形成方向ＬＳ側（図７，８）に傾いている。一側増し目４，８は、第一グループの新編目３１で構成され、かつ第一編目３，７よりも第一編目３，７が傾く方向とは反対側（図７，８の始端方向ＲＳ側）に配置されている。第二編目５，９は、一側増し目４，８よりも後に割増やしによって形成される旧編目４０と新編目４１からなる第二グループのうち、旧編目４０で構成され、かつ他側編地部２０Ｆの編目に対して形成方向ＬＳ側（図７，８）に傾いている。他側増し目６，１０は、第二グループの新編目４１で構成され、かつ第二編目５，９よりも第二編目５，９が傾く方向とは反対側（図７，８の始端方向ＲＳ側）に配置されている。
【００７５】
本例の編目ユニットＱ３，Ｑ４では、第一編目１１，１５は、割増やしによって形成される旧編目３３と新編目３４からなる第一グループのうち、新編目３４で構成され、かつ一側編地部２０Ｂの編目に対して形成方向側に傾いている。一側増し目１２，１６は、第一グループの旧編目３３で構成され、かつ第一編目１１，１５よりも第一編目１１，１５が傾く方向とは反対側（始端方向側）に配置されている。第二編目１３，１７は、一側増し目１２，１６よりも後に割増やしによって形成される旧編目４４と新編目４５からなる第二グループのうち、新編目４５で構成され、かつ他側編地部２０Ｆの編目に対して傾いている。他側増し目１４，１８は、第二グループの旧編目４４で構成され、かつ第二編目１３，１７よりも第二編目１３，１７が傾く方向とは反対側に配置されている。
【００７６】
一番目の編目ユニットＱ１の第一編目３と第二編目５はそれぞれ、始端の第一編目１と第二編目２に対して形成されている。また、ｎ＋１番目（ｎは１以上の自然数）の編目ユニットの第一編目は、ｎ番目の編目ユニットの第一編目に対して形成され、ｎ＋１番目の編目ユニットの第二編目は、ｎ番目の編目ユニットの第二編目に対して形成されている。このように、各編目ユニットＱ１〜Ｑ４は連結されている。
【００７７】
上記編出し部１０１の一側増し目４，８，１２，１６のウエール方向に一側編地部２０Ｂの編目が形成され、他側増し目６，１０，１４，１８のウエール方向に他側編地部２０Ｆの編目が形成される。ここで、一側編地部２０Ｂおよび他側編地部２０Ｆは共にリブ組織であり、図７，８の編成工程図で説明したように、各編目ユニットＱ１〜Ｑ４は次の条件を満たす。
・一側増し目４，８のウエール方向に続く一側編地部２０Ｂの編目が表目である場合、第一編目３，７または一側増し目４，８は裏目である。
・一側増し目１２，１６のウエール方向に続く一側編地部２０Ｂの編目が裏目である場合、第一編目１１，１５または一側増し目１２，１６は表目である。
・他側増し目６，１０のウエール方向に続く他側編地部２０Ｆの編目が表目である場合、第二編目５，９または他側増し目６，１０は裏目である。
・他側増し目１４，１８のウエール方向に続く他側編地部２０Ｆの編目が裏目である場合、第二編目１３，１７または他側増し目１４，１８は表目である。
【００７８】
実施形態２の編地１００は、実施形態１の編地と同様、編出し部１０１が波うつこと無く真っ直ぐに形成されており、極めて見栄えの良い編地となる。そのため、編地１００の編出し部１０１を編幅方向に拡げても、編出し部１０１の位置で前後のリブ組織同士が綺麗に繋がる。さらに、編出し部１０１を構成する第一編目３と一側増し目４とが割増やしで繋がり、第二編目５と他側増し目６とが割増やしで繋がっているため、編出し部１０１の編目が詰んだ状態になり、編出し部１０１に孔が空き難く、編出し部１０１の見栄えが良い。
【００７９】
＜変形例＞
実施形態１の編出し部１０１を編成する給糸部材は複数の給糸口を有するプレーティングキャリアなどであっても良い。その場合、編出し部１０１を構成する各編目ユニットＱ１〜Ｑ４は、複数の編糸で連続的に編成された編目ユニットとなる。その他、編地部２０Ｂ，２０Ｆのリブ組織は、２×２以外のリブ組織、例えば１×１や１×２のリブ組織であっても良い。
【００８０】
その他、いずれか一方の編地部２０Ｂ（２０Ｆ）を天竺組織、他方の編地部２０Ｆ（２０Ｂ）をリブ組織（例えば４×２のリブ組織）とすることもできる。一側編地部２０Ｂ（他側編地部２０Ｆ）を天竺組織とする場合、実施形態１では第一編目３，７，１１，１５…（第二編目５，９，１３，１７…）を裏目とし、実施形態２では第三編目３３（第四編目４４）を裏目とする。このような編成は、ニット製のバッグなど、表側と裏側でデザインを変更したい場合に有効である。また、一側編地部２０Ｂと他側編地部２０Ｆの両端部を繋げるように編成すれば、編出し部１０１を底とするバッグのような袋状編地を編成することができる。この場合、編出し部１０１と両編地部２０Ｂ，２０Ｆとを一つの給糸部材で編成することもできる。
【符号の説明】
【００８１】
Ｑ１，Ｑ２，Ｑ３，Ｑ４  編目ユニット
１，３，７，１１，１５  第一編目  ２，５，９，１３，１７  第二編目
４，８，１２，１６  一側増し目  ６，１０，１４，１８  他側増し目
３０，３３  第三編目（旧編目）  ３１，３４  第一新規編目（新編目）
４０，４４  第四編目（旧編目）  ４１，４５  第二新規編目（新編目）
１００  スカート（編地）
１０１  編出し部
１０２  編終り部
２０Ｂ  後側編地部（一側編地部）  ２０Ｆ  前側編地部（他側編地部）
３０Ｂ  第一抜き糸編目列  ３０Ｆ  第二抜き糸編目列
５０Ｂ  第一編目列  ５０Ｆ  第二編目列
【図１】
2019015012.tif 000003
【図２】
2019015012.tif 000004
【図３】
2019015012.tif 000005
【図４】
2019015012.tif 000006
【図５】
2019015012.tif 000007
【図６】
2019015012.tif 000008
【図７】
2019015012.tif 000009
【図８】
2019015012.tif 000010
【図９】
2019015012.tif 000011
【図１０】
2019015012.tif 000012